(57)【要約】【課題】層厚規制部材の歪みを抑制することができる現像カートリッジ、および、像担持体カートリッジを提供すること。【解決手段】  現像ローラ２を有する現像カートリッジ１であって、感光ドラム２１を有するドラムカートリッジ３１に装着される現像カートリッジ１において、感光ドラム２１へ向かう押圧力を受ける延設部７０を、前後方向に見たときに層厚規制ブレード４が取り付けられるブレード取付部７９と重なるように、配置する。【選択図】図１３
2015022180.tif 000002
【特許請求の範囲】
【請求項１】
現像剤を収容するように構成される筐体と、
前記筐体に回転可能に設けられ、前記筐体内の現像剤を担持するように構成される現像剤担持体と、
前記筐体に設けられ、前記現像剤担持体に担持される現像剤の層厚を規制するように構成される層厚規制部材と
を備え、
前記筐体は、
前記層厚規制部材が取り付けられる取付部と、
前記現像剤担持体の軸線方向と直交する直交方向において前記現像剤担持体を像担持体に対して押圧するための押圧力を受けるように構成される受け部と
前記取付部と前記受け部との間に位置する壁部と、
を備え、
前記受け部は、前記直交方向から見たときに前記取付部の少なくとも一部と重なるように、位置している
ことを特徴とする、現像カートリッジ。
【請求項２】
前記筐体は、前記軸線方向両端部のそれぞれにおいて、前記取付部を備えている
ことを特徴とする、請求項１に記載の現像カートリッジ。
【請求項３】
前記受け部は、前記軸線方向において、前記壁部よりも長い
ことを特徴とする、請求項１または２に記載の現像カートリッジ。
【請求項４】
前記筐体は、前記直交方向において、前記像担持体に対する前記現像剤担持体の押圧方向の上流側に延びる延設部を備え、
前記延設部は、前記受け部を有する
ことを特徴とする、請求項１ないし３のいずれか一項に記載の現像カートリッジ。
【請求項５】
前記延設部は、前記像担持体を支持するフレームに当接される当接部を有する
ことを特徴とする、請求項４に記載の現像カートリッジ。
【請求項６】
前記当接部は、前記受け部と連続している
ことを特徴とする、請求項５に記載の現像カートリッジ。
【請求項７】
現像剤像を担持するように構成される像担持体と、
前記像担持体を支持し、請求項１ないし６のいずれか一項に記載の現像カートリッジが装着されるように構成されるフレームと、
前記直交方向にスライドするように前記フレームに支持され、前記受け部を押圧するように構成される押圧部材と
を備える
ことを特徴とする、像担持体カートリッジ。
【請求項８】
前記押圧部材は、前記フレームに対する前記現像カートリッジの装着方向の上流側に向かって突出する突出部を有し、
前記突出部は、前記装着方向の下流側に向かうにつれて前記像担持体に対する前記現像剤担持体の押圧方向の下流側に傾斜する傾斜面を有する
ことを特徴とする、請求項７に記載の像担持体カートリッジ。
【請求項９】
前記受け部に対する前記押圧部材の接点と前記押圧部材の前記押圧方向上流側端縁との距離は、前記接点と前記突出部の前記装着方向上流側端縁との距離よりも長い
ことを特徴とする、請求項８に記載の像担持体カートリッジ。
【請求項１０】
前記突出部の前記軸線方向長さは、前記受け部の前記軸線方向長さ以上である
ことを特徴とする、請求項８または９に記載の像担持体カートリッジ。
【請求項１１】
前記フレームは、前記突出部の前記軸線方向両側において前記押圧部材を支持する押圧部材支持部を有する
ことを特徴とする、請求項８または９に記載の像担持体カートリッジ。
【請求項１２】
前記現像カートリッジは、前記フレームに当接される当接部を有し、
前記フレームは、前記当接部が当接される第２当接部を有する
ことを特徴とする、請求項７ないし１１のいずれか一項に記載の像担持体カートリッジ。
【請求項１３】
前記フレームは、画像形成装置本体に対して位置決めされるように構成される位置決め部を有し、
前記位置決め部は、前記軸線方向から見たときに、前記第２当接部と重なる
ことを特徴とする、請求項１２に記載の像担持体カートリッジ。
【発明の詳細な説明】
【技術分野】
【０００１】
本発明は、電子写真方式が採用される画像形成装置に装着される現像カートリッジおよび像担持体カートリッジに関する。
【背景技術】
【０００２】
電子写真方式の画像形成装置として、静電潜像を担持する像担持体と、現像剤を担持し、像担持体上の静電潜像に現像剤を供給する現像剤担持体とを備える画像形成装置が知られている。
【０００３】
例えば、感光体ドラムを保持するフレームと、現像ローラを支持し、フレームに対して着脱可能な現像ユニットとを備えるレーザプリンタが知られている（例えば、下記特許文献１参照）。
【０００４】
このレーザプリンタでは、現像ユニットは、その収納ケースから現像ローラの軸方向の外側に向かって突設された突起を押圧されることにより、感光体ドラムに向かって押圧されている。
【先行技術文献】
【特許文献】
【０００５】
【特許文献１】特開２０１１−１７５２８７号公報
【発明の概要】
【発明が解決しようとする課題】
【０００６】
しかるに、特許文献１では、突起が変形するなどした場合、現像ユニットは、軸方向において不均一に、感光体ドラムに押圧されるおそれがある。
【０００７】
この場合、現像ローラ上のトナーの層厚を一定にする層厚規制ブレードが軸方向において歪むおそれがある。層厚規制ブレードが歪むと、現像ローラ上のトナーの層厚が軸方向に不均一となり、画像の濃度が軸方向において不均一になるおそれがある。
【０００８】
そこで、本発明の目的は、層厚規制部材の歪みを抑制することができる現像カートリッジ、および、像担持体カートリッジを提供することにある。
【課題を解決するための手段】
【０００９】
（１）上記した目的を達成するため、本発明の現像カートリッジは、現像剤を収容するように構成される筐体と、筐体に回転可能に設けられ、筐体内の現像剤を担持するように構成される現像剤担持体と、筐体に設けられ、現像剤担持体に担持される現像剤の層厚を規制するように構成される層厚規制部材とを備える。
【００１０】
筐体は、層厚規制部材が取り付けられる取付部と、現像剤担持体の軸線方向と直交する直交方向において現像剤担持体を像担持体に対して押圧するための押圧力を受けるように構成される受け部とを備える。
【００１１】
受け部は、直交方向から見たときに取付部の少なくとも一部と重なるように、位置している。
【００１２】
このような構成によれば、層厚規制部材が取り付けられる取付部と、押圧力を受ける受け部とが、像担持体に対する現像剤担持体の押圧方向、すなわち直交方向において重なっている。
【００１３】
そのため、受け部で受けた押圧力を確実に取付部に作用させることができ、層厚規制部材を現像剤担持体に対して安定に接触させることができる。
【００１４】
その結果、層厚規制部材の歪みを抑制することができる。
（２）筐体は、軸線方向両端部のそれぞれにおいて、取付部を備えていてもよい。
【００１５】
このような構成によれば、軸線方向すべてにわたって、層厚規制部材を現像剤担持体に対して安定に接触させることができる。
【００１６】
その結果、層厚規制部材の歪みを、より抑制することができる。
（３）受け部は、軸線方向において、壁部よりも長くてもよい。
【００１７】
このような構成によれば、受け部は、より安定に押圧力を受けることができる。
（４）筐体は、直交方向において、像担持体に対する現像剤担持体の押圧方向の上流側に延びる延設部を備えてもよい。この場合、延設部は、受け部を有してもよい。
【００１８】
このような構成によれば、受け部を押圧方向の上流側から容易に押圧することができる。
（５）延設部は、像担持体を支持するフレームに当接される当接部を有してもよい。
【００１９】
このような構成によれば、延設部をフレームに対して上下方向に位置決めすることができる。
【００２０】
その結果、延設部は、押圧力をより安定に受けることができる。
（６）当接部は、受け部と連続していてもよい。
【００２１】
このような構成によれば、簡易な構成で、像担持体に対する現像剤担持体の押圧と、延設部のフレームに対する位置決めとを実現することができる。
（７）本発明の像担持体カートリッジは、現像剤像を担持するように構成される像担持体と、像担持体を支持し、上記した現像カートリッジが装着されるように構成されるフレームと、直交方向にスライドするようにフレームに支持され、受け部を押圧するように構成される押圧部材とを備える。
【００２２】
このような構成によれば、押圧部材によって現像カートリッジの受け部を押圧し、その押圧力を確実に現像カートリッジの取付部に作用させることができる。
【００２３】
その結果、層厚規制部材を現像剤担持体に対して安定に接触させることができ、層厚規制部材の歪みを抑制することができる。
（８）押圧部材は、フレームに対する現像カートリッジの装着方向の上流側に向かって突出する突出部を有してもよい。この場合、突出部は、装着方向の下流側に向かうにつれて像担持体に対する現像剤担持体の押圧方向の下流側に傾斜する傾斜面を有してもよい。
【００２４】
このような構成によれば、突出部の傾斜面を利用して、現像カートリッジを押圧方向の下流側に案内することができる。
【００２５】
その結果、現像カートリッジを、押圧部材に対して押圧方向の下流側に円滑に配置することができる。
（９）受け部に対する押圧部材の接点と押圧部材の押圧方向上流側端縁との距離は、接点と突出部の装着方向上流側端縁との距離よりも長くてもよい。
【００２６】
このような構成によれば、現像カートリッジをフレームに装着するときには、現像カートリッジは、突出部の傾斜面を装着方向の下流側へ押圧する。
【００２７】
このとき、受け部に対する押圧部材の接点と押圧部材の押圧方向上流側端縁との距離、すなわち、押圧方向における押圧部材の寸法が長いので、押圧部材が現像カートリッジの装着方向にがたつくことを抑制できる。
【００２８】
そのため、フレームに対する現像カートリッジの装着をより円滑に案内することができる。
【００２９】
その結果、現像カートリッジをフレームにより円滑に装着することができる。
（１０）突出部の軸線方向長さは、受け部の軸線方向長さ以上であってもよい。
【００３０】
このような構成によれば、現像カートリッジをフレームに装着するときに、受け部を突出部に確実に当接させることができる。
（１１）フレームは、突出部の軸線方向両側において押圧部材を支持する押圧部材支持部を有してもよい。
【００３１】
このような構成によれば、突出部を押圧部材支持部よりも装着方向上流側へ突出させることができながら、押圧部材を支持することができる。
（１２）現像カートリッジは、フレームに当接される当接部を有してもよい。この場合、フレームは、当接部が当接される第２当接部を有してもよい。
【００３２】
このような構成によれば、第２当接部により、現像カートリッジをフレーム内に安定に支持することができる。
（１３）フレームは、画像形成装置本体に対して位置決めされるように構成される位置決め部を有してもよい。この場合、位置決め部は、軸線方向から見たときに、第２当接部と重なってもよい。
【００３３】
このような構成によれば、画像形成装置本体に対して位置決めされている部分の近傍において、現像カートリッジをフレーム内に支持することができる。
【００３４】
そのため、現像カートリッジをフレーム内により安定に支持することができる。
【発明の効果】
【００３５】
本発明の現像カートリッジおよび像担持体カートリッジによれば、層厚規制部材の歪みを抑制することができる。
【図面の簡単な説明】
【００３６】
【図１】図１は、本発明の現像カートリッジの中央断面図である。
【図２】図２は、図１に示す現像カートリッジが装着される画像形成装置の中央断面図である。
【図３】図３は、図２に示すドラムカートリッジの後上方から見た斜視図である。
【図４】図４は、図３に示すドラムカートリッジの前上側から見た分解斜視図である。
【図５】図５は、図３に示すドラムカートリッジのＡ−Ａ断面図である。
【図６】図６は、ドラムフレームに対する感光ドラムの組み付けを説明する説明図である。
【図７】図７は、図１に示す現像カートリッジの後上方から見た斜視図である。
【図８】図８は、図７に示す現像フレームの後上方から見た分解斜視図である。
【図９】図９は、図７に示す現像カートリッジの前下方から見た斜視図である。
【図１０】図１０Ａは、図２に示すプロセスカートリッジの平面図である。図１０Ｂは、図２に示すプロセスカートリッジの左側面図である。
【図１１】図１１は、図１０Ａに示すプロセスカートリッジの要部拡大図である。
【図１２】図１２Ａは、ドラムカートリッジに対する現像カートリッジの装着を説明する説明図であって、図１０ＡのＢ−Ｂ断面に相当し、現像カートリッジの後端部がドラムカートリッジの現像カートリッジ装着部内に挿入された状態を示し、図１２Ｂは、図１２Ａに続いて、ドラムカートリッジに対する現像カートリッジの装着を説明する説明図であって、図１０ＡのＢ−Ｂ断面に相当し、現像ローラが感光ドラムに接触された状態を示し、図１２Ｃは、図１２Ｂに続いて、ドラムカートリッジに対する現像カートリッジの装着を説明する説明図であって、図１０ＡのＢ−Ｂ断面に相当し、ドラムカートリッジに対する現像カートリッジの装着が完了した状態を示す。
【図１３】図１３は、図１０ＢのＣ−Ｃ断面図である。
【図１４】図１４は、図１３に示す断面図の要部拡大図である。
【図１５】図１５は、ドラムカートリッジの変形例を説明する説明図であって、フランジ部材に、筒部と間隔を隔てて接触部を設けた態様を示す。
【図１６】図１６は、ドラムカートリッジの変形例を説明する説明図であって、フランジ部材の筒部に凸部を設けた態様を示す。
【発明を実施するための形態】
【００３７】
１．現像カートリッジの概略
図１に示すように、現像カートリッジ１は、現像剤担持体の一例としての現像ローラ２と、供給ローラ３と、層厚規制部材の一例としての層厚規制ブレード４と、トナー収容部５とを備えている。
【００３８】
なお、以下の説明において、現像カートリッジ１の方向に言及するときには、現像カートリッジ１を水平に載置した状態を上下の基準とする。すなわち、図１の紙面上方が上方であり、紙面下方が下方である。また、図１の紙面右方が前方であり、図１の紙面左方が後方である。また、現像カートリッジ１を前方から見たときを左右の基準とする。すなわち、図１の紙面手前が左方であり、紙面奥が右方である。左右方向は、軸線方向の一例である。前後方向は、直交方向の一例である。上方から下方へ向かう方向は、装着方向の一例である。前方から後方へ向かう方向は、押圧方向の一例である。
【００３９】
現像ローラ２は、現像カートリッジ１の後端部に回転可能に支持されている。現像ローラ２は、現像ローラ軸２Ａと、現像ローラ本体２Ｂとを備えている。
【００４０】
現像ローラ軸２Ａは、略円柱形状を有している。現像ローラ軸２Ａは、左右方向に延びている。現像ローラ軸２Ａは、金属からなる。現像ローラ軸２Ａの左右方向端部は、後述する現像フレーム７１の現像ローラ軸挿通穴７７に挿通されている。
【００４１】
現像ローラ本体２Ｂは、略円筒形状を有している。現像ローラ本体２Ｂは、左右方向に延びている。現像ローラ本体２Ｂは、導電性を有するゴムからなる。現像ローラ本体２Ｂは、現像ローラ軸２Ａの左右両端部を被覆せず、現像ローラ軸２Ａの左右方向略中央を被覆している。
【００４２】
供給ローラ３は、現像ローラ２の前下方に配置されている。供給ローラ３は、現像カートリッジ１に回転可能に支持されている。供給ローラ３は、供給ローラ軸３Ａと、供給ローラ本体３Ｂとを備えている。
【００４３】
供給ローラ軸３Ａは、略円柱形状を有している。供給ローラ軸３Ａは、左右方向に延びている。供給ローラ軸３Ａは、金属からなる。供給ローラ軸３Ａの左右方向端部は、後述する現像フレーム７１の供給ローラ軸挿通穴７８に挿通されている。
【００４４】
供給ローラ本体３Ｂは、略円筒形状を有している。供給ローラ本体３Ｂは、左右方向に延びている。供給ローラ本体３Ｂは、導電性を有するスポンジからなる。供給ローラ本体３Ｂは、供給ローラ軸３Ａの左右両端部を被覆せず、供給ローラ軸３Ａの左右方向略中央を被覆している。供給ローラ本体３Ｂは、現像ローラ本体２Ｂの前下端部に接触している。
【００４５】
層厚規制ブレード４は、現像ローラ２の前上方に配置されている。層厚規制ブレード４は、現像ローラ２の前端部に接触している。
【００４６】
トナー収容部５は、供給ローラ３および層厚規制ブレード４の前方に配置されている。トナー収容部５は、現像剤の一例としてのトナーを収容するように構成されている。トナー収容部５は、アジテータ６を備えている。
【００４７】
アジテータ６は、トナー収容部５内に回転可能に支持されている。
２．現像カートリッジの使用態様
図２に示すように、現像カートリッジ１は、画像形成装置１１に装着されて使用される。
【００４８】
画像形成装置１１は、電子写真方式のモノクロプリンタである。画像形成装置１１は、装置本体１２と、プロセスカートリッジ１３と、スキャナユニット１４と、定着ユニット１５とを備えている。
【００４９】
装置本体１２は、略ボックス形状に形成されている。装置本体１２は、開口部１６と、フロントカバー１７と、給紙トレイ１８と、排紙トレイ１９とを有している。
【００５０】
開口部１６は、装置本体１２の前端部に配置されている。開口部１６は、プロセスカートリッジ１３の通過を許容するように、装置本体１２の内外を前後方向に連通している。
【００５１】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００５２】
給紙トレイ１８は、装置本体１２の底部に配置されている。給紙トレイ１８は、用紙Ｐを収容するように構成されている。
【００５３】
排紙トレイ１９は、装置本体１２の上壁の前側半分に配置されている。排紙トレイ１９は、用紙Ｐが載置されるように、装置本体１２の上面から下方へ凹んでいる。
【００５４】
プロセスカートリッジ１３は、装置本体１２の上下方向略中央に収容されている。プロセスカートリッジ１３は、装置本体１２に対して装着または離脱するように構成されている。プロセスカートリッジ１３は、像担持体カートリッジの一例としてのドラムカートリッジ２０と、現像カートリッジ１とを備えている。
【００５５】
ドラムカートリッジ２０は、感光ドラム２１と、スコロトロン型帯電器２２と、転写ローラ２３とを備えている。
【００５６】
感光ドラム２１は、ドラムカートリッジ２０の後端部に回転可能に支持されている。
【００５７】
スコロトロン型帯電器２２は、感光ドラム２１の後方において、感光ドラム２１と間隔を隔てて配置されている。
【００５８】
転写ローラ２３は、感光ドラム２１の下方に配置されている。転写ローラ２３は、感光ドラム２１の下端部と接触している。
【００５９】
現像カートリッジ１は、感光ドラム２１の前方において、現像ローラ２が感光ドラム２１の前下端部に接触するように、ドラムカートリッジ２０に装着されている。
【００６０】
スキャナユニット１４は、プロセスカートリッジ１３の上方に配置されている。スキャナユニット１４は、感光ドラム２１に向けて画像データに基づくレーザービームを出射するように構成されている。
【００６１】
定着ユニット１５は、プロセスカートリッジ１３の後方に配置されている。定着ユニット１５は、加熱ローラ２４と、加熱ローラ２４の後上端部に圧接される加圧ローラ２５とを備えている。
【００６２】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００６３】
また、アジテータ６は、トナー収容部５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００６４】
そして、現像ローラ２に担持されたトナーは、感光ドラム２１表面の静電潜像に供給される。これにより、トナー像が、感光ドラム２１の表面に担持される。
【００６５】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００６６】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．ドラムカートリッジの詳細
（１）ドラムカートリッジの構成
図２および図３に示すように、ドラムカートリッジ２０は、フレームの一例としてのドラムフレーム３１と、感光ドラム２１と、スコロトロン型帯電器２２と、転写ローラ２３とを備えている。
（１−１）ドラムフレーム
ドラムフレーム３１は、図３および図４に示すように、ベースフレーム３２と、カバーフレーム３３とを備えている。
【００６７】
ベースフレーム３２は、平面視略矩形の有底枠形状を有している。ベースフレーム３２は、１対の側壁３４と、下壁３５と、後壁３６と、前壁３７とを一体的に備えている。
【００６８】
１対の側壁３４のそれぞれは、ベースフレーム３２の左右方向両端部のそれぞれに配置されている。なお、以下の説明において、側壁３４の左右に言及するときには、左方の側壁３４を左壁３４Ｌと記載し、右方の側壁３４を右壁３４Ｒと記載する。１対の側壁３４のそれぞれは、側面視略矩形の平板形状を有している。１対の側壁３４のそれぞれは、前後方向に延びている。１対の側壁３４のそれぞれは、ドラム軸挿通穴３８と、位置決め部の一例としての位置決めボス５０とを有している。また、右壁３４Ｒは、ドラム受け部４０と、摩擦パッド３９とを有している。
【００６９】
ドラム軸挿通穴３８は、側壁３４の後端部の上下方向略中央に配置されている。ドラム軸挿通穴３８は、側面視略円形状を有している。ドラム軸挿通穴３８は、側壁３４を左右方向に貫通している。ドラム軸挿通穴３８の内径は、感光ドラム２１のドラム軸５６の外径よりもわずかに大きい。１対の側壁３４のそれぞれのドラム軸挿通穴３８は、左右方向に投影したときに互いに一致している。
【００７０】
位置決めボス５０は、側壁３４の前下端部に配置されている。位置決めボス５０は、略円筒形状を有している。左方の位置決めボス５０Ｌは、左方の側壁３４の左面から左方へ突出している。右方の位置決めボス５０Ｒは、図１０Ａに示すように、右方の側壁３４の右面から右方へ突出している。位置決めボス５０は、プロセスカートリッジ１３が装置本体１２に装着されたときに、装置本体１２内において位置固定される。
【００７１】
ドラム受け部４０は、ドラム軸挿通穴３８の下方に配置されている。ドラム受け部４０は、側面視略矩形状を有している。ドラム受け部４０は、左壁３４Ｌの内面から左右方向内方へわずかに膨出している。ドラム受け部４０は、凹部４１を有している。
【００７２】
凹部４１は、ドラム受け部４０の上端縁の前後方向略中央に配置されている。凹部４１は、下方へ凹んでいる。凹部４１は、感光ドラム２１の後述する摩擦部材５８の外周に沿うように、ドラム軸挿通穴３８を中心とした略円弧形状を有している。
【００７３】
摩擦パッド３９は、ドラム受け部４０の上方に配置されている。摩擦パッド３９は、略円環形状を有している。摩擦パッド３９の外径は、感光ドラム２１の後述する摩擦部材５８の外径よりも大きい。摩擦パッド３９の内径は、ドラム軸挿通穴３８の外径よりも大きい。摩擦パッド３９は、不織布からなる。摩擦パッド３９は、ドラム軸挿通穴３８を囲むように、右壁３４Ｒの内面に貼付されている。
【００７４】
下壁３５は、１対の側壁３４の下端部間に架設され、前後方向に延びている。下壁３５は、平面視略矩形の平板形状を有している。下壁３５は、転写ローラ支持部４２と、給紙開口４３と、排紙開口４４と、２つの押圧部材支持部４５と、２つの押圧部材４６と、２つの第２当接部の一例としての当接凸部４８とを有している。
【００７５】
転写ローラ支持部４２は、下壁３５の後端部に配置されている。転写ローラ支持部４２は、下壁３５の上面から下方へ向かって凹み、左右方向に延びている。
【００７６】
給紙開口４３は、下壁３５の前後方向略中央において、転写ローラ支持部４２の前方に配置されている。給紙開口４３は、平面視略矩形状を有している。給紙開口４３は、下壁３５を上下方向に貫通し、左右方向に延びている。給紙開口４３は、図２に示すように、感光ドラム２１と転写ローラ２３との間へ給紙される用紙Ｐの通過を許容する。
【００７７】
排紙開口４４は、下壁３５の後端部において、転写ローラ支持部４２の後方に配置されている。排紙開口４４は、平面視略矩形状を有している。排紙開口４４は、下壁３５を上下方向に貫通し、左右方向に延びている。排紙開口４４は、図２に示すように、感光ドラム２１と転写ローラ２３との間から定着ユニット１５へ向かう用紙Ｐの通過を許容する。
【００７８】
２つの押圧部材支持部４５のそれぞれは、図３および図１２Ｃに示すように、下壁３５の左右両端部のそれぞれに配置されている。２つの押圧部材支持部４５のそれぞれは、１対の側板６１と、前板６２とを備えている。
【００７９】
１対の側板６１のそれぞれは、互いに左右方向に間隔を隔てて配置されている。１対の側板６１のそれぞれは、下壁３５の上面から上方へ突出し、その上端部において左右方向内方へ屈曲している。
【００８０】
前板６２は、１対の側板６１の前方に配置されている。前板６２は、下壁３５の上面から上方へ突出している。
【００８１】
２つの押圧部材４６のそれぞれは、２つの押圧部材支持部４５のそれぞれの１対の側板６１間において、前後方向にスライド可能に配置されている。２つの押圧部材４６のそれぞれは、押圧部６３と、突出部６４とを備えている。
【００８２】
押圧部６３は、略角柱形状を有している。押圧部６３は、前後方向に延び、その後端部が閉鎖されている。押圧部６３の後面６３Ａは、側面視略円弧形状を有している。押圧部６３は、圧縮ばね４７を備えている。
【００８３】
圧縮ばね４７は、押圧部６３の内部に配置されている。圧縮ばね４７は、前後方向に延びるコイルばねである。圧縮ばね４７の前端部は、押圧部材支持部４５の前板６２に接触している。圧縮ばね４７の後端部は、押圧部６３の後壁に接触している。圧縮ばね４７は、押圧部材４６を後方へ付勢する。
【００８４】
突出部６４は、押圧部６３の上方に配置されている。突出部６４は、側面視略三角形の平板形状を有している。突出部６４は、押圧部６３の左右方向略中央から、１対の側板６１の上端部間を介して、１対の側板６１の上端部よりも上方に突出している。突出部６４の後面６４Ａは、押圧部６３の後面６３Ａの上端部に連続して、上方へ向かうにつれて前方に傾斜している。突出部６４の後面６４Ａは、傾斜面の一例である。突出部６４の上端縁Ｅ１と押圧部６３の後端縁Ｅ２との距離Ｄ１は、押圧部６３の後端縁Ｅ２と押圧部６３の前端縁Ｅ３との距離Ｄ２よりも短い。
【００８５】
２つの当接凸部４８のそれぞれは、２つの押圧部材支持部４５のそれぞれの後方に配置されている。２つの当接凸部４８のそれぞれは、略半球形状を有している。２つの当接凸部４８のそれぞれは、下壁３５の上面から上方へ膨出している。２つの当接凸部４８のそれぞれは、左右方向に投影したときに、位置決めボス５０の後端部に重なっている。
【００８６】
後壁３６は、排紙開口４４の後方において、下壁３５の後端部から上方へ突出し、左右方向に延びている。後壁３６は、正面視略矩形の平板形状を有している。
【００８７】
前壁３７は、下壁３５の前端部から連続して上方へ延びている。前壁３７は、正面視略矩形の平板形状を有している。前壁３７の左右両端部は、１対の側壁３４の前端部に連続している。
【００８８】
カバーフレーム３３は、図３および図４に示すように、ベースフレーム３２の後端部の上方に配置されている。カバーフレーム３３は、上壁５１と、１対の係合部５２とを一体的に備えている。
【００８９】
上壁５１は、平面視略矩形の平板形状を有している。上壁５１は、左右方向に延びている。
【００９０】
１対の係合部５２のそれぞれは、上壁５１の左右方向両端部のそれぞれから下方へ延びている。１対の係合部５２のそれぞれは、略平板形状を有している。１対の係合部５２のそれぞれは、ドラム軸挿通穴５３を有している。
【００９１】
ドラム軸挿通穴５３は、係合部５２の下端部に配置されている。ドラム軸挿通穴５３は、側面視略円形状を有している。ドラム軸挿通穴５３は、係合部５２を左右方向に貫通している。ドラム軸挿通穴５３の内径は、感光ドラム２１のドラム軸５６の外径よりもわずかに大きい。
（３）感光ドラム、転写ローラおよびスコロトロン型帯電器
感光ドラム２１は、図４および図５に示すように、ドラム本体５４と、２つのフランジ部材５５と、摩擦部材５８と、圧縮ばね５９と、ドラム軸５６とを備えている。
【００９２】
ドラム本体５４は、略円筒形状を有している。ドラム本体５４は、左右方向に延びている。
【００９３】
２つのフランジ部材５５のそれぞれは、ドラム本体５４の左右方向両端部のそれぞれに相対回転不能に嵌まっている。２つのフランジ部材５５のそれぞれは、略円筒形状を有している。２つのフランジ部材５５のそれぞれは、左右方向に延びている。２つのフランジ部材５５のそれぞれは、ドラム軸支持部６０を備えている。
【００９４】
ドラム軸支持部６０は、フランジ部材５５の左右方向途中に配置されている。ドラム軸支持部６０は、平板部６５と、筒部６６とを有している。
【００９５】
平板部６５は、フランジ部材５５の内面から径方向内方へ延びている。平板部６５は、略円板形状を有している。
【００９６】
筒部６６は、平板部６５の径方向中央に配置されている。筒部６６は、側面視略円形状を有している。筒部６６は、平板部６５の径方向中央を左右方向に貫通している。筒部６６の内径は、感光ドラム２１のドラム軸５６の外径よりもわずかに大きい。筒部６６の左端縁は、ドラムフレーム３１の左壁３４Ｌの内面に当接している。
【００９７】
摩擦部材５８は、右方のフランジ部材５５の右端部内において、左右方向にスライドするように嵌まっている。摩擦部材５８は、略円筒形状を有している。摩擦部材５８の右端部は、閉鎖されている。摩擦部材５８の外径は、右方のフランジ部材５５の内径よりもわずかに小さい。摩擦部材５８は、ドラム軸挿通穴６７を有している。
【００９８】
ドラム軸挿通穴６７は、摩擦部材５８の径方向中央に配置されている。ドラム軸挿通穴６７は、摩擦部材５８の右壁を左右方向に貫通している。ドラム軸挿通穴６７の内寸は、感光ドラム２１のドラム軸５６の外径よりも大きい。
【００９９】
圧縮ばね５９は、右方のフランジ部材５５の平板部６５と、摩擦部材５８の右壁との間に配置されている。圧縮ばね５９は、左右方向に延びるコイルばねである。圧縮ばね５９の左端部は、右方のフランジ部材５５の平板部６５に当接している。圧縮ばね５９の右端部５９Ａは、摩擦部材５８の右壁５８Ａに当接している。圧縮ばね５９は、摩擦部材５８を右方へ付勢している。
【０１００】
ドラム軸５６は、感光ドラム２１の径方向中心に沿って配置されている。ドラム軸５６は、略円柱形状を有している。ドラム軸５６は、左右方向に延びている。ドラム軸５６は、金属からなる。ドラム軸５６は、ベースフレーム３２のドラム軸挿通穴３８、カバーフレーム３３のドラム軸挿通穴５３、フランジ部材５５の筒部６６、および、摩擦部材５８のドラム軸挿通穴６７に回転可能に挿通されている。
【０１０１】
転写ローラ２３は、転写ローラ支持部４２内に回転可能に支持されている。転写ローラ２３の上端部は、転写ローラ支持部４２から上方に膨出している。
【０１０２】
スコロトロン型帯電器２２は、上壁５１に支持されている。
【０１０３】
なお、ドラムカートリッジ２０において、感光ドラム２１よりも前方において、感光ドラム２１、１対の側壁３４および前壁３７によって画定される部分が、現像カートリッジ１が装着される現像カートリッジ装着部４９である。
（４）ベースフレームに対する感光ドラムの組み付け
ドラムカートリッジ２０の組み立て作業では、図４に示すように、作業者は、ベースフレーム３２に転写ローラ２３を組み付けた後に、ベースフレーム３２に感光ドラム２１を組み付ける。
【０１０４】
まず、作業者は、図５および図６に示すように、ドラム受け部４０の凹部４１に感光ドラム２１の摩擦部材５８の右端部を載せるように、転写ローラ２３の上方に感光ドラム２１を配置する。
【０１０５】
すると、感光ドラム２１の摩擦部材５８と、ベースフレーム３２の摩擦パッド３９とが向かい合う。次に、カバーフレーム３３をベースフレーム３２の後端部に上方から組み付ける。この状態で、ベースフレーム３２のドラム軸挿通穴３８、カバーフレーム３３のドラム軸挿通穴５３、および、フランジ部材５５の筒部６６は、左右方向に見たときに、互いにほぼ一致する。
【０１０６】
次いで、作業者は、ドラム軸５６を、ベースフレーム３２のドラム軸挿通穴３８、カバーフレーム３３のドラム軸挿通穴５３、フランジ部材５５の筒部６６、および、摩擦部材５８のドラム軸挿通穴６７に挿通する。
４．現像カートリッジの詳細
（１）現像カートリッジの構成
現像カートリッジ１は、図１および図７に示すように、筐体の一例としての現像フレーム７１と、上記した層厚規制ブレード４と、ブレードシール９３と、２つのサイドシール９０と、２つの軸シール８９とを備えている。
（１−１）現像フレーム
現像フレーム７１は、略ボックス形状を有している。現像フレーム７１の後端部は、開放されている。現像フレーム７１は、ベースフレーム７２と、カバーフレーム７３とを備えている。
【０１０７】
ベースフレーム７２は、図８および図１３に示すように、有底枠形状を有している。ベースフレーム７２は、１対の側壁７４と、前壁７５と、下壁７６とを一体的に備えている。
【０１０８】
１対の側壁７４のそれぞれは、ベースフレーム７２の左右方向両端部のそれぞれに配置されている。１対の側壁７４のそれぞれは、壁部の一例としての本体部６８と、張出部６９と、取付部の一例としてのブレード取付部７９と、延設部７０とを有している。
【０１０９】
本体部６８は、側壁７４の中央に配置されている。本体部６８は、側面視略矩形の平板形状を有している。本体部６８は、前後方向に延びている。
【０１１０】
張出部６９は、側壁７４の後端部に配置されている。張出部６９は、本体部６８の後端部の左右方向外端部から連続して左右方向外方へ延び、前方へ屈曲している。張出部６９は、側面視略矩形状を有している。張出部６９は、現像ローラ軸挿通穴７７と、供給ローラ軸挿通穴７８とを有している。
【０１１１】
現像ローラ軸挿通穴７７は、張出部６９の後端部に配置されている。現像ローラ軸挿通穴７７は、後端部が開放された側面視略円形状を有している。現像ローラ軸挿通穴７７は、張出部６９を左右方向に貫通している。現像ローラ軸挿通穴７７の内径は、現像ローラ２の現像ローラ軸２Ａの直径よりも大きい。
【０１１２】
供給ローラ軸挿通穴７８は、現像ローラ軸挿通穴７７の前下方に配置されている。供給ローラ軸挿通穴７８は、側面視略矩形状を有している。供給ローラ軸挿通穴７８の内寸は、供給ローラ３の供給ローラ軸３Ａの直径よりも大きい。
【０１１３】
ブレード取付部７９は、側壁７４の上端部に配置されている。ブレード取付部７９は、本体部６８の前上端部から連続して上方へ突出している。ブレード取付部７９は、略角柱形状を有している。ブレード取付部７９は、前後方向に延びている。ブレード取付部７９の後面は、本体部６８の後面に連続し、上下方向に延びている。ブレード取付部７９は、ねじ穴８１と、ボス８０とを有している。
【０１１４】
ねじ穴８１は、ブレード取付部７９の上下方向略中央に配置されている。ねじ穴８１は、ブレード取付部７９の後面から前方に向かって凹んでいる。ねじ穴８１は、正面視略円形状を有している。
【０１１５】
ボス８０は、ねじ穴８１の周縁部から後方に向かって突出している。ボス８０は、略円筒形状を有している。
【０１１６】
延設部７０は、図９に示すように、側壁７４の前端部に配置されている。延設部７０は、側面視略矩形の略平板形状を有している。延設部７０は、本体部６８の前端部から連続して前方へ延びている。延設部７０の下端部の前面７０Ａは、受け部の一例である。延設部７０の下面７０Ｂは、当接部の一例である。延設部７０の左右方向寸法Ｌ１は、図１３および図１４に示すように、本体部６８の厚みＬ２よりも長く、図１１に示すように、ドラムフレーム３１の押圧部材４６の突出部６４の左右方向寸法Ｌ３とほぼ同じである。また、図１３に示すように、延設部７０とブレード取付部７９との間には、本体部６８が位置している。延設部７０は、図１３に仮想線で示すように、前後方向に見たときに、ブレード取付部７９、および、現像ローラ本体２Ｂの左右方向端部と重なる。
【０１１７】
下壁７６は、図１および図９に示すように、第１部分７６Ａと、第２部分７６Ｂと、第３部分７６Ｃとを一体的に備えている。
【０１１８】
第１部分７６Ａは、ベースフレーム７２の前半分に配置されている。第１部分７６Ａは、断面視略円弧形状を有している。第１部分７６Ａの前後方向略中央は、下方へ凹んでいる。第１部分７６Ａの左右両端部は、１対の側壁７４の本体部６８の下端部に連続している。第１部分７６Ａは、トナー収容部５の底壁を構成している。
【０１１９】
第２部分７６Ｂは、第１部分７６Ａの後方に配置されている。第２部分７６Ｂは、断面視略円弧形状を有している。第２部分７６Ｂは、第１部分７６Ａの後端部に連続して、供給ローラ３の外周面に沿って湾曲するように後方へ延びている。第２部分７６Ｂの左右両端部は、１対の側壁７４の本体部６８の下端部に連続している。
【０１２０】
第３部分７６Ｃは、第２部分７６Ｂの後方に配置されている。第３部分７６Ｃは、断面視略直線形状を有している。第３部分７６Ｃは、第２部分７６Ｂの後端部に連続して、後方に向かって延びている。第３部分７６Ｃの左右両端部は、１対の側壁７４の張出部６９の下端部に連続している。
【０１２１】
前壁７５は、下壁７６の前端部に連続して上方へ延びている。前壁７５は、正面視略矩形状を有している。前壁７５の左右両端部は、１対の側壁７４の本体部６８の前端部に連続している。
【０１２２】
カバーフレーム７３は、図１および図８に示すように、ベースフレーム７２の上方に配置されている。カバーフレーム７３は、被覆部９１と、ブレードシール支持部９２とを一体的に備えている。
【０１２３】
被覆部９１は、平面視略矩形の平板形状を有している。被覆部９１の前端部は、ベースフレーム７２の前壁７５の上端部に溶着されている。被覆部９１の左右両端部は、ベースフレーム７２の１対の側壁７４の上端部に溶着されている。
【０１２４】
ブレードシール支持部９２は、被覆部９１の後方において、ベースフレーム７２の１対の側壁７４の後端部間に配置されている。ブレードシール支持部９２は、平面視略矩形の平板形状を有している。ブレードシール支持部９２は、被覆部９１の後端部から連続して後方に延びている。ブレードシール支持部９２の左右両端部は、ベースフレーム７２の１対の側壁７４に溶着されている。
（１−２）層厚規制ブレードおよびブレードシール
層厚規制ブレード４は、図１および図７に示すように、第１挟持部材９５と、第２挟持部材９６と、ブレード部材９４とを備えている。
【０１２５】
第１挟持部材９５は、カバーフレーム７３のブレードシール支持部９２の上方に配置されている。第１挟持部材９５は、左右方向に長い断面視略Ｌ字形の屈曲板形状を有している。詳しくは、第１挟持部材９５は、前後方向に延び、その前端部において下方へ屈曲している。第１挟持部材９５の前端部は、ブレードシール支持部９２の上端部の前方に向かい合っている。第１挟持部材９５は、２つの固定部９７を備えている。
【０１２６】
２つの固定部９７のそれぞれは、第１挟持部材９５の前端部の左右方向両端部のそれぞれから上方に突出している。２つの固定部９７のそれぞれは、正面視略矩形の平板形状を有している。２つの固定部９７のそれぞれは、ベースフレーム７２のボス８０が嵌まる図示しない貫通穴を有している。２つの固定部９７のそれぞれは、ねじ９９がベースフレーム７２のねじ穴８１に螺合されることにより、ベースフレーム７２のブレード取付部７９の後面に固定されている。
【０１２７】
第２挟持部材９６は、第１挟持部材９５の上方に配置されている。第２挟持部材９６は、左右方向に長い断面視略Ｌ字形の屈曲板形状を有している。詳しくは、第２挟持部材９６は、第１挟持部材９５の上方において前後方向に延び、その前端部において、ブレード部材９４の上端部に後方から向かい合うように下方へ屈曲している。第２挟持部材９６は、ねじ９８により、第１挟持部材９５に固定されている。
【０１２８】
ブレード部材９４は、左右方向に長い正面視略矩形の平板形状を有している。ブレード部材９４は、上下方向に延びている。ブレード部材９４の上端部は、第１挟持部材９５の前端部と、第１挟持部材９５の前端部との間に挟持されている。ブレード部材９４の下端部は、現像ローラ２の前端部に接触している。
【０１２９】
ブレードシール９３は、図１に示すように、層厚規制ブレード４のブレード部材９４と、カバーフレーム７３のブレードシール支持部９２の後面との間に配置されている。ブレードシール９３は、略角柱形状を有している。ブレードシール９３は、左右方向に延びている。ブレードシール９３は、樹脂製のスポンジからなる。ブレードシール９３は、ブレード部材９４とブレードシール支持部９２との間をシールしている。
（１−３）サイドシールおよび軸シール
２つのサイドシール３３のそれぞれは、図１２Ｃに示すように、１対の側壁３６のそれぞれの張出部６９の後内面６９Ａと、現像ローラ本体２Ｂの左右方向両端部のそれぞれとの間に配置されている。すなわち、２つのサイドシール３３のそれぞれは、前後方向に見たときに、左右の延設部７０のそれぞれと重なる。２つのサイドシール３３のそれぞれは、ウレタン樹脂などの樹脂からなるスポンジであり、略平板形状を有している。２つのサイドシール３３のそれぞれは、現像ローラ本体２Ｂの周面に湾曲しながら接触され、張出部６９の後内面６９Ａとの間で圧縮されている。
【０１３０】
２つの軸シール３０のそれぞれは、１対の側壁３６のそれぞれの供給ローラ軸挿通穴７８内において、供給ローラ軸３Ａの周囲に配置されている。２つの軸シール３０のそれぞれは、左右方向に延び、略角柱形状を有している。２つの軸シール３０のそれぞれは、スポンジなどの弾性部材からなる。２つの軸シール３０のそれぞれは、供給ローラ軸挿通穴７８の内面と供給ローラ軸３Ａとの間で圧縮されている。
（２）ドラムカートリッジに対する現像カートリッジの装着作業
ドラムカートリッジ２０に対する現像カートリッジ１の装着作業において、作業者は、現像カートリッジ１の後端部をドラムカートリッジ２０の現像カートリッジ装着部４９に上方から挿入する。
【０１３１】
すると、図１２Ａに示すように、現像カートリッジ１の延設部７０は、ドラムカートリッジ２０の押圧部材４６の突出部６４の後面６４Ａに上方から当接する。
【０１３２】
次いで、作業者は、現像カートリッジ１の前端部を後下方へ押圧する。
【０１３３】
すると、現像カートリッジ１は、延設部７０が押圧部材４６の突出部６４の後面６４Ａを滑るように、後下方へ移動する。
【０１３４】
そして、図１２Ｂに示すように、現像ローラ２が感光ドラム２１に前方から当接されると、現像カートリッジ１は、それ以上の後下方への移動が規制される。
【０１３５】
次いで、作業者は、現像カートリッジ１の前端部を下方へ押圧する。
【０１３６】
すると、現像カートリッジ１は、その後端部を支点として、左側面視時計回りに回動する。このとき、現像カートリッジ１の延設部７０は、押圧部材４６の押圧部６３の後面６３Ａを前方へ向かって押圧しながら下方へ移動する。
【０１３７】
すると、押圧部材４６は、圧縮ばね４７の付勢力に抗して前方に移動する。延設部７０は、押圧部材４６の押圧部６３の後面６３Ａを滑るように下方へ移動し、押圧部材４６の後方に配置される。
【０１３８】
そして、延設部７０の下端部がドラムフレーム３１の当接凸部４８に上方から当接されると、現像カートリッジ１は、それ以上の回動が規制される。
【０１３９】
このとき、図１２Ｃおよび図１４に示すように、延設部７０の下端部の前面７０Ａは、押圧部材４６の押圧部６３の後端縁Ｅ２に接触する。
【０１４０】
これにより、押圧部材４６は、圧縮ばね４７の付勢力により、延設部７０の下端部の前面７０Ａを後方へ押圧する。すると、現像ローラ２は、押圧部材４６からの押圧力により、感光ドラム２１に押圧される。
【０１４１】
このように、ドラムカートリッジ２０に対する現像カートリッジ１の装着作業が完了する。
５．作用効果
（１）この現像カートリッジ１によれば、図１３に示すように、層厚規制ブレード４が取り付けられるブレード取付部７９と、押圧部材４６に押圧される延設部７０とが、感光ドラム２１に対する現像ローラ２の押圧方向、すなわち前後方向において重なっている。
【０１４２】
そのため、延設部７０で受けた押圧力を確実にブレード取付部７９に作用させることができ、層厚規制ブレード４を現像ローラ２に対して安定に接触させることができる。
【０１４３】
その結果、層厚規制ブレード４の歪みを抑制することができる。
（２）この現像カートリッジ１によれば、図７に示すように、層厚規制ブレード４は、左右両端部のそれぞれにおいて、現像フレーム７１に取り付けられている。
【０１４４】
そのため、左右方向すべてにわたって、層厚規制ブレード４を現像ローラ２に対して安定に接触させることができる。
【０１４５】
その結果、層厚規制ブレード４の歪みを、より抑制することができる。
（３）この現像カートリッジ１によれば、図１３および図１４に示すように、延設部７０の左右方向寸法Ｌ１は、側壁３４の本体部６８の厚みＬ２よりも長い。
【０１４６】
そのため、延設部７０は、押圧部材４６からの押圧力をより安定に受けることができる。
（４）この現像カートリッジ１によれば、図９に示すように、現像フレーム７１は、後方に延びる延設部７０を備えている。
【０１４７】
そのため、延設部７０の下端部の前面７０Ａを、押圧部材４６で前方から容易に押圧することができる。
（５）この現像カートリッジ１およびドラムカートリッジ２０によれば、図１１Ｃに示すように、現像カートリッジ１がドラムカートリッジ２０に装着されたときに、延設部７０の下面７０Ｂは、ドラムフレーム３１の当接凸部４８に上方から当接される。
【０１４８】
これにより、ドラムフレーム３１内において、延設部７０を上下方向に位置決めすることができる。
【０１４９】
そのため、延設部７０の下端部の前面７０Ａを、押圧部材４６の後端縁Ｅ２に確実に当接することができる。
【０１５０】
その結果、延設部７０は、押圧部材４６からの押圧力をより安定に受けることができる。
（６）この現像カートリッジ１によれば、図９に示すように、延設部７０の下面７０Ｂは、延設部７０の下端部の前面７０Ａと連続している。
【０１５１】
そのため、簡易な構成で、感光ドラム２１に対する現像ローラ２の押圧と、延設部７０のドラムフレーム３１に対する位置決めとを実現することができる。
（７）このドラムカートリッジ２０によれば、図１３に示すように、押圧部材４６によって現像カートリッジ１の延設部７０の下端部の前面７０Ａを押圧し、その押圧力を確実に現像カートリッジ１のブレード取付部７９に作用させることができる。
【０１５２】
その結果、層厚規制ブレード４を現像ローラ２に対して安定に接触させることができ、層厚規制ブレード４の歪みを抑制することができる。
（８）このドラムカートリッジ２０によれば、図３に示すように、押圧部材４６の突出部６４の後面６４Ａは、下方に向かうにつれて後方に傾斜している。
【０１５３】
そのため、突出部６４の後面６４Ａを利用して、現像カートリッジ１を後方に案内することができる。
【０１５４】
その結果、現像カートリッジ１を、押圧部材４６の後方に円滑に配置することができる。
（９）このドラムカートリッジ２０によれば、図１２Ｃに示すように、突出部６４の上端縁Ｅ１と押圧部６３の後端縁Ｅ２との距離Ｄ１は、押圧部６３の後端縁Ｅ２と押圧部６３の前端縁Ｅ３との距離Ｄ２よりも短い。
【０１５５】
現像カートリッジ１をドラムフレーム３１に装着するときには、現像カートリッジ１は、突出部６４の後面６４Ａを前方へ押圧する。
【０１５６】
このとき、押圧部６３の後端縁Ｅ２と押圧部６３の前端縁Ｅ３との距離Ｄ２、すなわち、押圧部材４６の前後方向寸法が長いので、押圧部材４６がスライドする際、押圧部材４６が上下方向にがたつくことを抑制できる。
【０１５７】
そのため、ドラムフレーム３１に対する現像カートリッジ１の装着をより円滑に案内することができる。
【０１５８】
その結果、現像カートリッジ１をドラムフレーム３１により円滑に装着することができる。
（１０）このドラムカートリッジ２０によれば、図１０Ａに示すように、延設部７０の左右方向寸法Ｌ１は、ドラムフレーム３１の押圧部材４６の突出部６４の左右方向寸法Ｌ３とほぼ同じである。
【０１５９】
そのため、現像カートリッジ１をドラムフレーム３１に装着するときに、延設部７０の下端部の前面７０Ａを突出部６４に確実に当接させることができる。
（１１）このドラムカートリッジ２０によれば、図３に示すように、押圧部材４６は、１対の側板６１間に挟まれるように、押圧部材支持部４５に支持されている。突出部６４は、１対の側板６１の上端部間から上方へ突出している。
【０１６０】
そのため、突出部６４を押圧部材支持部４５よりも上方へ突出させることができながら、押圧部材４６を支持することができる。
（１２）このドラムカートリッジ２０によれば、図１２Ａに示すように、位置決めボス５０は、左右方向から見たときに、当接凸部４８と重なっている。
【０１６１】
そのため、装置本体１２に対して位置決めされるドラムカートリッジ２０の前端部において、現像カートリッジ１を支持することができる。
【０１６２】
そのため、現像カートリッジ１をドラムフレーム３１内により安定に支持することができる。
（１３）このドラムカートリッジ２０によれば、図１３に示すように、延設部７０は、前後方向に見たときに、現像ローラ本体２Ｂの左右方向端部と重なる。
【０１６３】
そのため、押圧部材４６からの押圧力を利用して、現像ローラ本体２Ｂの左右方向両端部を、より感光ドラム２１に押し付けることができる。
【０１６４】
その結果、現像ローラ本体２Ｂを、左右方向すべてにわたって、確実に感光ドラム２１に接触させることができる。
（１４）このドラムカートリッジ２０によれば、図１２Ｃおよび図１３に示すように、２つのサイドシール３３のそれぞれは、前後方向に見たときに、左右の延設部７０のそれぞれと重なる。
【０１６５】
そのため、押圧部材４６からの押圧力を利用して、サイドシール３３を、より圧縮することができる。
【０１６６】
その結果、現像ローラ本体２Ｂの左右方向両端部と、現像フレーム７１の張出部６９との間をより確実にシールすることができる。
６．変形例
（１）上記した実施形態では、左方のフランジ部材５５の筒部６６は、ドラムフレーム３１の左壁３４Ｌの内面に当接している。
【０１６７】
ここで、左方のフランジ部材５５の形状は、特に限定されず、例えば、図１５に示すように、筒部６６の径方向外方に間隔を隔てて、ドラムフレーム３１の左壁３４Ｌの内面に当接する接触部１０１を備えてもよい。
【０１６８】
接触部１０１は、平板部６５の左面から左方に突出している。接触部１０１の左端縁は、筒部６６の左端縁よりも左方に位置しており、ドラムフレーム３１の左壁３４Ｌの内面に当接している。
【０１６９】
なお、接触部１０１と筒部６６とは、径方向に延びるリブなどにより、互いに連結されていてもよい。
【０１７０】
また、左方のフランジ部材５５の筒部６６は、図１６に示すように、凸部３０を有していてもよい。
【０１７１】
凸部３０は、左方のフランジ部材５５の筒部６６の左端縁から左方へ突出している。凸部３０は、断面視略半円形状を有している。凸部３０は、ドラムフレーム３１の左壁３４Ｌの内面に当接している。
（２）現像剤担持体としては、上記した現像ローラ２の他、例えば、現像スリーブなどを適用することもできる。
（３）層厚規制部材としては、上記した層厚規制ブレード４の他、例えば、ゴムブレードや、金属製のブレード部材の先端にゴム製の接触部を備えるブレードなどを適用することもできる。
（４）層厚規制ブレード４は、例えば、固定部９７を接着剤でブレード取付部７９に接着することにより取り付けることもできる。また、ブレード取付部７９は、後方へ延びるボスを有し、層厚規制ブレード４は、ボスを固定部９７の図示しない挿通穴に挿通した後、前方へ押圧しながら加熱溶融することにより取り付けることもできる。
（５）上記した実施形態では、ドラムカートリッジ２０の押圧部材４６によって現像カートリッジ１の延設部７０の下端部の前面７０Ａを押圧している。
【０１７２】
しかし、ドラムカートリッジ２０は、押圧部材４６を備えていなくてもよい。
【０１７３】
この場合、現像カートリッジ１は、圧縮ばねを備える。圧縮ばねの一端部は、延設部７０の下端部の前面７０Ａに接続される。圧縮ばねの他端部は、現像カートリッジ１がドラムカートリッジ２０に装着された状態で、ドラムカートリッジ２０の前壁３７に当接される。
【符号の説明】
【０１７４】
１      現像カートリッジ
２      現像ローラ
４      層厚規制ブレード
１２    装置本体
２０    ドラムカートリッジ
２１    感光ドラム
３１    ドラムフレーム
４５    押圧部材支持部
４６    押圧部材
４８    当接凸部
５０    位置決めボス
６４    突出部
６４Ａ  後面
６８    本体部
７０    延設部
７０Ａ  前面
７０Ｂ  下面
７１    現像フレーム
７９    ブレード取付部
Ｅ１    突出部の上端縁
Ｅ２    押圧部の後端縁
Ｅ３    押圧部の前端縁
Ｄ１    距離
Ｄ２    距離
Ｌ１    延設部の左右方向寸法
Ｌ２    本体部の厚み
Ｌ３    突出部の左右方向寸法
【図１】
2015022180.tif 000003
【図２】
2015022180.tif 000004
【図３】
2015022180.tif 000005
【図４】
2015022180.tif 000006
【図５】
2015022180.tif 000007
【図６】
2015022180.tif 000008
【図７】
2015022180.tif 000009
【図８】
2015022180.tif 000010
【図９】
2015022180.tif 000011
【図１０】
2015022180.tif 000012
【図１１】
2015022180.tif 000013
【図１２】
2015022180.tif 000014
【図１３】
2015022180.tif 000015
【図１４】
2015022180.tif 000016
【図１５】
2015022180.tif 000017
【図１６】
2015022180.tif 000018